(57)【要約】【課題】クロストークを減少させて液体の吐出特性を向上すると共に小型化した液体噴射ヘッド及び液体噴射装置を提供する。【解決手段】液体を噴射するノズル開口２１に連通する圧力発生室１２を有する個別流路が設けられた流路形成基板１０と、該流路形成基板１０の一方面側の前記圧力発生室１２に相対向する領域に設けられた圧力発生素子３００とを具備し、前記流路形成基板１０の前記圧力発生素子３００側の面には、前記圧力発生素子３００に相対向する領域に前記個別流路の共通の液体室となるリザーバ１００が設けられたリザーバ形成基板３０が、前記圧力発生素子３００との間に所定の間隔で設けられたコンプライアンス基板４０を介して接合され、且つ前記コンプライアンス基板４０が前記リザーバ１００の開口を封止すると共に当該コンプライアンス基板４０の前記リザーバ１００を封止する領域に可撓部４４を設ける。【選択図】図２
2008023799.tif 000002
【特許請求の範囲】
【請求項１】
液体を噴射するノズル開口に連通する圧力発生室を有する個別流路が設けられた流路形成基板と、該流路形成基板の一方面側の前記圧力発生室に相対向する領域に設けられた圧力発生素子とを具備し、
前記流路形成基板の前記圧力発生素子側の面には、前記圧力発生素子に相対向する領域に前記個別流路の共通の液体室となるリザーバが設けられたリザーバ形成基板が、前記圧力発生素子との間に所定の間隔で設けられたコンプライアンス基板を介して接合され、且つ前記コンプライアンス基板が前記リザーバの開口を封止すると共に当該コンプライアンス基板の前記リザーバを封止する領域には可撓部が設けられていることを特徴とする液体噴射ヘッド。
【請求項２】
前記コンプライアンス基板が、前記流路形成基板側に接合される固定板と、該固定板に接合された可撓性材料からなる封止膜とを具備し、前記固定板の前記リザーバに相対向する領域には厚さ方向に貫通する開口部が設けられ、該開口部によって前記リザーバが前記封止膜のみで封止された領域が前記可撓部となっていることを特徴とする請求項１記載の液体噴射ヘッド。
【請求項３】
前記コンプライアンス基板には、前記リザーバと前記個別流路とを連通する貫通孔が設けられていることを特徴とする請求項１又は２記載の液体噴射ヘッド。
【請求項４】
前記個別流路の内面と、前記貫通孔の内面とには、耐液体性を有する保護膜が設けられていることを特徴とする請求項３記載の液体噴射ヘッド。
【請求項５】
前記貫通孔が、複数の個別流路からなる個別流路群毎に独立して設けられていることを特徴とする請求項３又は４記載の液体噴射ヘッド。
【請求項６】
前記貫通孔が、各個別流路毎に独立して設けられていることを特徴とする請求項３又は４記載の液体噴射ヘッド。
【請求項７】
前記個別流路が、前記圧力発生室からなると共に、前記貫通孔が前記リザーバと前記圧力発生室との間で液体に流路抵抗を生じさせる液体供給路として機能することを特徴とする請求項６記載の液体噴射ヘッド。
【請求項８】
前記個別流路が、少なくとも前記圧力発生室と、前記圧力発生室の一端部に連通して、当該圧力発生室の幅方向の断面積よりも小さな断面積を有し、且つ前記リザーバと前記圧力発生室との間で液体に流路抵抗を生じさせる液体供給路とで構成されていることを特徴とする請求項１〜６の何れかに記載の液体噴射ヘッド。
【請求項９】
前記リザーバ形成基板の前記コンプライアンス基板とは反対側の面には、前記圧力発生素子を駆動する駆動回路が実装されていることを特徴とする請求項１〜８の何れかに記載の液体噴射ヘッド。
【請求項１０】
請求項１〜９の何れかに記載の液体噴射ヘッドを具備することを特徴とする液体噴射装置。
【発明の詳細な説明】
【技術分野】
【０００１】
本発明は、液体噴射ヘッド及び液体噴射装置に関し、特に、液体としてインクを吐出するインクジェット式記録ヘッド及びインクジェット式記録装置に関する。
【背景技術】
【０００２】
液体噴射ヘッドであるインクジェット式記録ヘッドとしては、例えば、ノズル開口に連通する圧力発生室とこの圧力発生室の長手方向一端部側に圧力発生室の短手方向に亘って設けられて各圧力発生室に連通する連通部とが形成される流路形成基板と、この流路形成基板の一方面側に形成される圧電素子と、流路形成基板の圧電素子側の面に接着剤を介して接合されて、連通部と共にリザーバの一部を構成するリザーバ部を有するリザーバ形成基板とを具備するものがある（例えば、特許文献１参照）。
【０００３】
このような特許文献１の構成では、リザーバとして、圧力発生室の長手方向一端部側にリザーバの一部を構成する連通部が設けられているため、インクジェット式記録ヘッドが圧力発生室の長手方向で大型化してしまうという問題がある。
【０００４】
また、流路形成基板に接合されたリザーバ形成基板の圧電素子保持部に相対向する領域にリザーバを設けたものがある（例えば、特許文献２及び３参照）。
【０００５】
これによれば、インクジェット式記録ヘッドを圧力発生室の長手方向で小型化することができるものの、インクを吐出した際の圧力発生室から隣接する圧力発生室へのコンプライアンスによって、インク吐出特性が悪化してしまうという問題がある。
【０００６】
また、インクが貯留された貯留手段等からインクを導入した際のコンプライアンスも発生してしまい、インク吐出に悪影響が生じてしまうという問題がある。
【０００７】
さらに、リザーバ形成基板上に圧電素子を駆動するための駆動回路を実装すると、コンプライアンスを生じさせるコンプライアンス基板を配置することができないという問題がある。
【０００８】
【特許文献１】特開２００５−２１９２４３号公報（第３〜５図、第６〜８頁）
【特許文献２】特開２００１−１０５６１１号公報（第６〜８図、第８〜９頁）
【特許文献３】特開２００４−１０６３１６号公報（第１１図、第６頁）
【発明の開示】
【発明が解決しようとする課題】
【０００９】
本発明はこのような事情に鑑み、クロストークを減少させて液体の吐出特性を向上すると共に小型化した液体噴射ヘッド及び液体噴射装置を提供することを課題とする。
【課題を解決するための手段】
【００１０】
上記課題を解決する本発明の第１の態様は、液体を噴射するノズル開口に連通する圧力発生室を有する個別流路が設けられた流路形成基板と、該流路形成基板の一方面側の前記圧力発生室に相対向する領域に設けられた圧力発生素子とを具備し、前記流路形成基板の前記圧力発生素子側の面には、前記圧力発生素子に相対向する領域に前記個別流路の共通の液体室となるリザーバが設けられたリザーバ形成基板が、前記圧力発生素子との間に所定の間隔で設けられたコンプライアンス基板を介して接合され、且つ前記コンプライアンス基板が前記リザーバの開口を封止すると共に当該コンプライアンス基板の前記リザーバを封止する領域には可撓部が設けられていることを特徴とする液体噴射ヘッドにある。
かかる第１の態様では、流路形成基板の圧力発生素子側にリザーバを設けるようにしたため、液体噴射ヘッドの圧力発生室の長手方向の幅を小さくすることができ、小型化を図ることができる。また、リザーバ形成基板と流路形成基板との間にリザーバを封止するコンプライアンス基板を設け、コンプライアンス基板のリザーバに相対向する領域に可撓部を設けるようにしたため、広い面積で可撓部を形成することができ、液体を吐出した際の圧力発生室の応力変化によるクロストークを可撓部によって低減させることができる。また、液体が貯留された貯留手段からリザーバに液体が供給された際の動圧を可撓部によって吸収させることができる。これにより、液体吐出特性を向上することができる。
【００１１】
本発明の第２の態様は、前記コンプライアンス基板が、前記流路形成基板側に接合される固定板と、該固定板に接合された可撓性材料からなる封止膜とを具備し、前記固定板の前記リザーバに相対向する領域には厚さ方向に貫通する開口部が設けられ、該開口部によって前記リザーバが前記封止膜のみで封止された領域が前記可撓部となっていることを特徴とする第１の態様の液体噴射ヘッドにある。
かかる第２の態様では、コンプライアンス基板に可撓部を広い面積で容易に設けることができる。
【００１２】
本発明の第３の態様は、前記コンプライアンス基板には、前記リザーバと前記個別流路とを連通する貫通孔が設けられていることを特徴とする第１又は２の態様の液体噴射ヘッドにある。
かかる第３の態様では、リザーバからの液体を貫通孔を介して個別流路に供給することができる。
【００１３】
本発明の第４の態様は、前記個別流路の内面と、前記貫通孔の内面とには、耐液体性を有する保護膜が設けられていることを特徴とする第３の態様の液体噴射ヘッドにある。
かかる第４の態様では、流路形成基板及びコンプライアンス基板の液体による侵食を防止して、耐久性及び信頼性を向上することができる。
【００１４】
本発明の第５の態様は、前記貫通孔が、複数の個別流路からなる個別流路群毎に独立して設けられていることを特徴とする第３又は４の態様の液体噴射ヘッドにある。
かかる第５の態様では、コンプライアンス基板と流路形成基板との位置合わせを容易にして、液体供給不良等が発生するのを防止することができる。
【００１５】
本発明の第６の態様は、前記貫通孔が、各個別流路毎に独立して設けられていることを特徴とする第３又は４の態様の液体噴射ヘッドにある。
かかる第６の態様では、液体を吐出した圧力発生室の圧力変動が隣接する圧力発生室に影響してクロストークが発生するのを防止することができる。
【００１６】
本発明の第７の態様は、前記個別流路が、前記圧力発生室からなると共に、前記貫通孔が前記リザーバと前記圧力発生室との間で液体に流路抵抗を生じさせる液体供給路として機能することを特徴とする第６の態様の液体噴射ヘッドにある。
かかる第７の態様では、流路形成基板に圧力発生室のみが形成されるため、液体噴射ヘッドの圧力発生室の長手方向である幅方向の小型化をさらに図ることができる。
【００１７】
本発明の第８の態様は、前記個別流路が、少なくとも前記圧力発生室と、前記圧力発生室の一端部に連通して、当該圧力発生室の幅方向の断面積よりも小さな断面積を有し、且つ前記リザーバと前記圧力発生室との間で液体に流路抵抗を生じさせる液体供給路とで構成されていることを特徴とする第１〜６の何れかの態様の液体噴射ヘッドにある。
かかる第８の態様では、液体供給路によって、液体に流路抵抗を生じさせることができ、液体吐出特性を向上することができる。
【００１８】
本発明の第９の態様は、前記リザーバ形成基板の前記コンプライアンス基板とは反対側の面には、前記圧力発生素子を駆動する駆動回路が実装されていることを特徴とする第１〜８の何れかの態様の液体噴射ヘッドにある。
かかる第９の態様では、リザーバ形成基板上に駆動回路を実装することで、液体噴射ヘッドの圧力発生室の長手方向である幅方向の小型化をさらに図ることができる。
【００１９】
本発明の第１０の態様は、第１〜９の何れかの態様の液体噴射ヘッドを具備することを特徴とする液体噴射装置にある。
かかる第１０の態様では、小型化及び液体噴射特性を向上した液体噴射装置を実現でき
る。
【発明を実施するための最良の形態】
【００２０】
以下に本発明を実施形態に基づいて詳細に説明する。
（実施形態１）
図１は、本発明の実施形態１に係る液体噴射ヘッドの一例であるインクジェット式記録ヘッドの概略斜視図であり、図２は、図１の平面図及びそのＡ−Ａ′断面図である。図示するように、流路形成基板１０は、本実施形態では面方位（１１０）のシリコン単結晶基板からなり、その一方の面には予め熱酸化によって二酸化シリコンからなる厚さ０．５〜２μｍの弾性膜５０が形成されている。
【００２１】
流路形成基板１０には、他方面側から異方性エッチングすることにより、複数の隔壁１１によって区画された圧力発生室１２がその幅方向（短手方向）に並設されている。また、流路形成基板１０の圧力発生室１２の長手方向一端部側には、圧力発生室１２と共に詳しくは後述するノズル開口毎に個別流路を構成する液体供給路の一例であるインク供給路１４と連通部１３とが隔壁１１によって区画されている。
【００２２】
インク供給路１４は、詳しくは後述するリザーバ１００と圧力発生室１２との間でインクに流路抵抗を生じさせるものであり、圧力発生室１２の長手方向一端部側に連通し且つ圧力発生室１２より小さい断面積を有する。例えば、本実施形態では、インク供給路１４は、圧力発生室１２の流路を幅方向に絞ることで、圧力発生室１２の幅より小さい幅で形成されている。なお、このように、本実施形態では、流路の幅を片側から絞ることでインク供給路１４を形成したが、流路の幅を両側から絞ることでインク供給路を形成してもよい。また、流路の幅を絞るのではなく、厚さ方向から絞ることでインク供給路を形成してもよい。さらに、各連通部１３は、インク供給路１４の圧力発生室１２とは反対側に連通し、インク供給路１４の幅方向（短手方向）より大きい断面積を有する。本実施形態では、連通部１３を圧力発生室１２と同じ断面積で形成した。
【００２３】
すなわち、流路形成基板１０には、圧力発生室１２と、圧力発生室１２の短手方向の断面積より小さい断面積を有するインク供給路１４と、このインク供給路１４に連通すると共にインク供給路１４の短手方向の断面積よりも大きい断面積を有する連通部１３とからなる個別流路が複数の隔壁１１により区画されて設けられている。
【００２４】
流路形成基板１０の圧力発生室１２等の個別流路が開口する面側には、各圧力発生室１２のインク供給路１４とは反対側の端部近傍に連通するノズル開口２１が穿設されたノズル形成部材の一例でノズルプレート２０が、接着剤や熱溶着フィルム等によって固着されている。なお、ノズルプレート２０は、例えば、ガラスセラミックス、シリコン単結晶基板、ステンレス鋼等からなる。
【００２５】
一方、このような流路形成基板１０のノズルプレート２０とは反対側の面には、上述したように、厚さが例えば約１．０μｍの弾性膜５０が形成され、この弾性膜５０上には、厚さが例えば、約０．４μｍの絶縁体膜５５が形成されている。さらに、この絶縁体膜５５上には、厚さが例えば、約０．２μｍの下電極膜６０と、厚さが例えば、約１．０μｍの圧電体層７０と、厚さが例えば、約０．０５μｍの上電極膜８０とが、後述するプロセスで積層形成されて、圧電素子３００を構成している。ここで、圧電素子３００は、下電極膜６０、圧電体層７０及び上電極膜８０を含む部分をいう。一般的には、圧電素子３００の何れか一方の電極を共通電極とし、他方の電極及び圧電体層７０を各圧力発生室１２毎にパターニングして構成する。本実施形態では、下電極膜６０を圧電素子３００の共通電極とし、上電極膜８０を圧電素子３００の個別電極としているが、駆動回路や配線の都合でこれを逆にしても支障はない。すなわち、本実施形態では、圧力発生室１２内のインク（液体）に圧力変化を生じさせる圧力発生素子として、圧電素子３００を設けるようにした。
【００２６】
また、このような各圧電素子３００の上電極膜８０には、流路形成基板１０のインク供給路１４とは反対側の端部近傍まで延設された金（Ａｕ）等のリード電極９０がそれぞれ接続されている。このリード電極９０を介して各圧電素子３００に選択的に電圧が印加される。
【００２７】
また、流路形成基板１０の圧電素子３００側の面には、個別流路の共通のインク室（液体室）となるリザーバ１００が設けられたリザーバ形成基板３０がコンプライアンス基板４０を介して設けられている。すなわち、流路形成基板１０の圧電素子３００側の面には、接着剤３５を介して接合されたコンプライアンス基板４０と、コンプライアンス基板４０上に接着剤３６を介して接合されたリザーバ形成基板３０とが設けられている。
【００２８】
リザーバ形成基板３０には、複数の圧電素子３００に相対向する領域に、流路形成基板１０側に開口する凹形状を有するリザーバ１００が設けられており、リザーバ１００の開口はコンプライアンス基板４０によって封止されている。本実施形態では、リザーバ１００を、連通部１３に相対向する領域から複数の圧電素子３００に相対向する領域に達するまで連続して設けるようにした。
【００２９】
また、リザーバ形成基板３０のコンプライアンス基板４０とは反対側の面には、リザーバ１００と図示しない外部のインクが貯留されたインクタンク等の貯留手段とを連通する導入孔３１が設けられている。導入孔３１は、詳しくは後述するコンプライアンス基板４０の貫通孔４５とは反対側の端部側に設けられており、これにより、貯留手段から導入されたインクの動圧による影響が貫通孔４５を介して圧力発生室１２に及ぼされるのを低減している。
【００３０】
なお、リザーバ形成基板３０の材料としては、例えば、ガラス、セラミックス材料、金属、樹脂等が挙げられるが、流路形成基板１０の熱膨張率と略同一の材料で形成されていることが好ましく、本実施形態では、流路形成基板１０と同一材料であるシリコン単結晶基板を用いている。このように、リザーバ形成基板３０を流路形成基板１０の熱膨張率と略同一の材料を用いることで、インクジェット式記録ヘッドがインク吐出時や製造時などに加熱されても、熱膨張率の違いにより反りが生じてクラック等の破壊が発生するのを防止することができる。
【００３１】
コンプライアンス基板４０は、流路形成基板１０側に接着剤３５を介して接合された固定板４１と、固定板４１上に接合された封止膜４２とで構成されている。
【００３２】
固定板４１は、例えば、厚さが数十μｍ程度、本実施形態では、厚さが３０μｍの板状部材からなり、連通部１３に相対向する領域からリード電極９０上に達する幅で、且つ圧力発生室１２の並設方向外側に達する長さを有する。
【００３３】
なお、固定板４１の材料としては、例えば、ガラス、セラミックス材料、金属、樹脂等が挙げられるが、流路形成基板１０の熱膨張率と同一材料で形成するのが好ましく、本実施形態では、流路形成基板１０と同一材料であるシリコン単結晶基板を用いている。このように、コンプライアンス基板４０の流路形成基板１０と接合される固定板４１に流路形成基板１０と同一材料であるシリコン単結晶基板を用いることで、インクジェット式記録ヘッドがインク吐出時や製造時などに加熱されても、熱膨張率の違いにより反りが生じてクラック等の破壊が発生するのを確実に防止することができる。また、固定板４１は流路形成基板１０の厚さに対して薄い部材であるため、固定板４１の材料としてステンレス鋼（ＳＵＳ）を用いたとしても、熱による反りが生じる可能性は低い。
【００３４】
また、封止膜４２は、剛性が低く可撓性を有する樹脂などの可撓性材料、例えば、厚さが数μｍ程度、本実施形態では、厚さが６μｍのポリフェニレンサルファイド（ＰＰＳ）フィルム等からなる。勿論、可撓性材料として、ポリフェニレンサルファイド以外に、ポリイミドやポリアミドなどを用いることができる。
【００３５】
さらに、固定板４１には、リザーバ１００に相対向する領域に厚さ方向に完全に除去された開口部４３が設けられている。このような開口部４３は、複数の圧電素子３００に相対向する領域に設けられている。
【００３６】
そして、コンプライアンス基板４０には、固定板４１の開口部４３によって、リザーバ１００の開口を封止膜４２のみで封止する撓み変形可能な可撓部４４が設けられている。すなわち、固定板４１の開口部４３を複数の圧電素子３００に相対向する領域に設けることで、リザーバ１００の開口を封止する封止膜４２と圧電素子３００との間に所定の空間を設け、且つリザーバ１００の開口を封止する封止膜４２を撓み変形可能な可撓部４４としている。
【００３７】
なお、このような封止膜４２は、可撓部４４として用いられるため、少なくとも固定板４１の開口部４３を封止する大きさで設けられていればよい。本実施形態では、封止膜４２を固定板４１の外周と同じ大きさで設けるようにした。
【００３８】
また、コンプライアンス基板４０の連通部３１に相対向する領域には、連通部１３とリザーバ１００とを連通する厚さ方向に貫通した貫通孔４５が設けられている。この貫通孔４５は、本実施形態では、複数の個別流路である連通部１３に亘って１つ設けられている。そして、リザーバ１００からのインクは、貫通孔４５を介して各個別流路である連通部１３、インク供給路１４及び圧力発生室１２に供給される。すなわち、リザーバ１００は、各個別流路の共通の液体室（インク室）として機能する。
【００３９】
また、リザーバ形成基板３０の上には、圧電素子３００を駆動するための駆動回路１２０が実装されている。駆動回路１２０としては、例えば、回路基板や半導体集積回路（ＩＣ）等を用いることができる。そして、各圧電素子３００から引き出された引き出し配線である各リード電極９０の先端部と、駆動回路１２０とがボンディングワイヤ等からなる駆動配線１２１を介して電気的に接続されている。
【００４０】
このような本実施形態のインクジェット式記録ヘッドでは、図示しない外部のインクが貯留された貯留手段から導入孔３１を介してインクを取り込み、リザーバ１００から貫通孔４５を介してノズル開口２１に至るまで内部をインクで満たした後、駆動回路１２０からの記録信号に従い、圧力発生室１２に対応するそれぞれの下電極膜６０と上電極膜８０との間に電圧を印加し、圧電素子３００及び振動板をたわみ変形させることにより、各圧力発生室１２内の圧力が高まりノズル開口２１からインクが吐出する。
【００４１】
このように、流路形成基板１０の圧電素子３００に相対向する領域にリザーバ１００を設けるようにしたため、インクジェット式記録ヘッドの圧力発生室１２の長手方向の幅を小さくすることができ、小型化を図ることができる。
【００４２】
また、流路形成基板１０とリザーバ形成基板３０との間にコンプライアンス基板４０を設け、コンプライアンス基板４０の圧電素子３００に相対向する領域に可撓部４４を設けることで、導入孔３１からリザーバ１００にインクが供給された際のリザーバ１００内の圧力変動を可撓部４４によって低減させることができる。また、ヘッドの小型化のために、リザーバ形成基板３０の導入孔３１を圧電素子３００に相対向する領域に形成しても、導入孔３１に相対向する領域に可撓部４４が形成されているため、リザーバ１００内の圧力変動を可撓部４４によって低減させることができる。すなわち、導入孔３１からリザーバ１００に供給されたインクは、供給方向に設けられた可撓部４４に当接し、可撓部４４が撓み変形することによって、リザーバ１００内の圧力変動を低減させることができる。これにより、リザーバ１００にインクが供給された際に圧力発生室１２に圧力変動が影響するのを低減させて、インク吐出特性を向上することができる。
【００４３】
また、流路形成基板１０とリザーバ形成基板３０との間に可撓部４４を有するコンプライアンス基板４０を設けることで、可撓部４４を広い面積で形成することができ、リザーバ１００内の圧力変動を低減させて、圧力変動の悪影響によるクロストークの発生を確実に低減させることができる。
【００４４】
さらに、流路形成基板１０とリザーバ形成基板３０との間に可撓部４４を有するコンプライアンス基板４０を設けることで、リザーバ形成基板３０上に圧電素子３００を駆動する駆動回路１２０を実装することができ、駆動回路１２０を実装するための部品等が不要となり、部品点数を増大させることなく小型化することができる。
【００４５】
なお、本実施形態では、圧力発生室１２、連通部１３及びインク供給路１４からなる個別流路の内壁表面と、コンプライアンス基板４０の貫通孔４５の内壁表面と、貫通孔４５に連続する接着剤３５、３６の内面とに亘って、耐インク性（耐液体性）を有する材料、例えば、五酸化タンタル（Ｔａ２Ｏ５）等の酸化タンタルからなる保護膜２００が、約５０ｎｍの厚さで設けられている。なお、ここで言う耐インク性とは、アルカリ性のインクに対する耐エッチング性のことである。なお、このような保護膜２００の材料は、酸化タンタルに限定されず、使用するインクのｐＨ値によっては、例えば、酸化ジルコニウム（ＺｒＯ２）、ニッケル（Ｎｉ）、クロム（Ｃｒ）等を用いてもよい。
【００４６】
このように、保護膜２００を設けることで、流路形成基板１０及びコンプライアンス基板４０がインクにより侵食されるのを防止して、耐久性及び信頼性を向上することができる。
【００４７】
（実施形態２）
図３は、本発明の実施形態２に係るインクジェット式記録ヘッドの概略斜視図であり、図４は、インクジェット式記録ヘッドの平面図及び断面図である。なお、上述した実施形態１と同様の部材には同一の符号を付して重複する説明は省略する。
【００４８】
図示するように、本実施形態のコンプライアンス基板４０Ａには、貫通孔４５Ａが、各個別流路毎に独立して設けられている。このような構成としても、上述した実施形態１と同様に、部品点数を増加させることなく、インクジェット式記録ヘッドの小型化を図ることができると共に、可撓部４４を広い面積で形成することができ、リザーバ１００へのインク供給時及びインク吐出時のクロストークを低減することができる。
【００４９】
（他の実施形態）
以上、本発明の各実施形態について説明したが、本発明の基本的構成は上述したものに限定されるものではない。例えば、上述した実施形態１及び２では、個別流路として、圧力発生室１２、インク供給路１４及び連通部１３を設けるようにしたが、特にこれに限定されず、例えば、連通部１３を設けないようにしてもよい。また、上述した実施形態２のように、各個別流路毎に独立した貫通孔４５Ａを設けた場合には、貫通孔４５Ａを圧力発生室１２とリザーバ１００との間のインクに流路抵抗を生じさせるインク供給路として機能させることで、流路形成基板１０にインク供給路１４及び連通部１３を設けないようにしてもよい。これにより、流路形成基板１０に圧力発生室１２のみを形成すればよく、さらに圧力発生室１２の長手方向の幅を小さくすることができると共に、コストを低減することができる。勿論、流路形成基板１０に各個別流路に連通してリザーバ１００の一部を構成するリザーバ部等を設けるようにしてもよい。
【００５０】
また、上述した実施形態１では、貫通孔４５を全ての個別流路に連通するように設け、実施形態２では、貫通孔４５Ａを各個別流路毎に独立して設けるようにしたが、特にこれに限定されず、例えば、貫通孔を複数の個別流路からなる個別流路群毎に設けるようにしてもよい。これにより、インク吐出時に貫通孔によってインクに流路抵抗を生じさせることができると共に、コンプライアンス基板と流路形成基板１０との接合時に位置決めを容易に行うことができる。
【００５１】
さらに、上述した実施形態１及び２では、コンプライアンス基板４０、４０Ａを封止膜４２と固定板４１とで構成し、固定板４１の開口部４３によって可撓部４４を形成するようにしたが、特にこれに限定されず、例えば、一枚の板状部材の厚さを部分的に薄くすることで可撓部４４等を形成するようにしてもよい。
【００５２】
さらに、上述した実施形態１及び２では、コンプライアンス基板４０、４０Ａに１つの可撓部４４を設けるようにしたが、特にこれに限定されず、例えば、固定板４１に複数の開口部４３を設けることで、複数の可撓部４４を設けるようにしてもよい。
【００５３】
また、これら各実施形態のインクジェット式記録ヘッドは、インクカートリッジ等と連通するインク流路を具備する記録ヘッドユニットの一部を構成して、インクジェット式記録装置に搭載される。図５は、そのインクジェット式記録装置の一例を示す概略図である。
【００５４】
図５に示すように、インクジェット式記録ヘッドを有する記録ヘッドユニット１Ａ及び１Ｂは、インク供給手段を構成するカートリッジ２Ａ及び２Ｂが着脱可能に設けられ、この記録ヘッドユニット１Ａ及び１Ｂを搭載したキャリッジ３は、装置本体４に取り付けられたキャリッジ軸５に軸方向移動自在に設けられている。この記録ヘッドユニット１Ａ及び１Ｂは、例えば、それぞれブラックインク組成物及びカラーインク組成物を吐出するものとしている。
【００５５】
そして、駆動モータ６の駆動力が図示しない複数の歯車およびタイミングベルト７を介してキャリッジ３に伝達されることで、記録ヘッドユニット１Ａ及び１Ｂを搭載したキャリッジ３はキャリッジ軸５に沿って移動される。一方、装置本体４にはキャリッジ軸５に沿ってプラテン８が設けられており、図示しない給紙ローラなどにより給紙された紙等の記録媒体である記録シートＳがプラテン８に巻き掛けられて搬送されるようになっている。
【００５６】
上述した実施形態においては、圧力発生素子として圧電素子を用いて説明したが、振動板と電極を所定の隙間を開けて配置し、静電気力で振動板の振動を制御する、いわゆる静電アクチュエータを圧力発生素子として用いてもよい。また、液体噴射ヘッドの一例としてインクジェット式記録ヘッドを挙げて説明したが、本発明は、広く液体噴射ヘッド全般を対象としたものであり、インク以外の液体を噴射する液体噴射ヘッドにも勿論適用することができる。その他の液体噴射ヘッドとしては、例えば、プリンタ等の画像記録装置に用いられる各種の記録ヘッド、液晶ディスプレー等のカラーフィルタの製造に用いられる色材噴射ヘッド、有機ＥＬディスプレー、ＦＥＤ（電界放出ディスプレー）等の電極形成に用いられる電極材料噴射ヘッド、バイオｃｈｉｐ製造に用いられる生体有機物噴射ヘッド等が挙げられる。
【図面の簡単な説明】
【００５７】
【図１】実施形態１に係る記録ヘッドの概略斜視図である。
【図２】実施形態１に係る記録ヘッドの平面図及び断面図である。
【図３】実施形態２に係る記録ヘッドの概略斜視図である。
【図４】実施形態２に係る記録ヘッドの平面図及び断面図である。
【図５】一実施形態に係るインクジェット式記録装置の概略図である。
【符号の説明】
【００５８】
１０  流路形成基板、  １２  圧力発生室、  １３  連通部、  １４  インク供給路、  １５  連通路、  ２０  ノズルプレート、  ２１  ノズル開口、  ３０  リザーバ形成基板、  ３１  導入孔、  ４０、４０Ａ  コンプライアンス基板、  ４１  固定板、  ４２  封止膜、  ４３  開口部、  ４４  可撓部、  ４５、４５Ａ  貫通孔、  ５０  弾性膜、  ５５  絶縁体膜、  ６０  下電極膜、  ７０  圧電体層、  ８０  上電極膜、  ９０  リード電極、  １００  リザーバ、  ３００  圧電素子
【図１】
2008023799.tif 000003
【図２】
2008023799.tif 000004
【図３】
2008023799.tif 000005
【図４】
2008023799.tif 000006
【図５】
2008023799.tif 000007